(57)【要約】【課題】  レーザ光源の光量をモニタするモニタ素子への入射光の光量を、光源の波長変動に対して安定化させた光ピックアップ装置を提供する。【解決手段】  光ピックアップ装置は、光ディスクに照射するための光を出射するレーザ光源と、光ディスク上で反射した光を受光する受光素子と、光源が出射する光の光量をモニタするためのモニタ素子と、光源から光ディスクへの光路中に存在して光源からの光の一部をモニタ素子に導き残りを光ディスクに導く第１光学要素と、第１光学要素からモニタ素子への光路中に存在する第２光学要素とを備え、第１光学要素によってモニタ素子に導かれる光量が光源の波長変動により変化するとき、第２光学要素がその光量変化を補正する。【選択図】  図１
2006139844.tif 000002
【特許請求の範囲】
【請求項１】
光ディスクに照射するための光を出射するレーザ光源と、光ディスク上で反射した光を受光する受光素子と、光源が出射する光の光量をモニタするためのモニタ素子と、光源から光ディスクへの光路中に存在して光源からの光の一部をモニタ素子に導き残りを光ディスクに導く第１光学要素と、第１光学要素からモニタ素子への光路中に存在する第２光学要素とを備え、
第１光学要素によってモニタ素子に導かれる光量が光源の波長変動により変化するとき、第２光学要素がその光量変化を補正する光ピックアップ装置。
【請求項２】
第１光学要素および第２光学要素が光学薄膜である請求項１に記載の光ピックアップ装置。
【請求項３】
第２光学要素が、第１光学要素からの光をモニタ素子へ反射または透過させる光学薄膜であり、光源の波長変動により反射または透過効率が変化するように構成された請求項１または２に記載の光ピックアップ装置。
【請求項４】
第１光学要素および第２光学要素が同一組成の光学薄膜である請求項１に記載の光ピックアップ装置。
【請求項５】
第１光学要素および第２光学要素が一部材に集約されている請求項１から４のいずれかに記載の光ピックアップ装置。
【請求項６】
第２光学要素が回折素子である請求項１に記載の光ピックアップ装置。
【発明の詳細な説明】
【技術分野】
【０００１】
本発明は、モニタ素子を用いて光源の出力を制御する光ピックアップ装置に関する。より具体的には、本発明は、モニタ素子への入射光の波長変動による光量変化を補正する光ピックアップ装置に関する。
【背景技術】
【０００２】
従来、この種の光ピックアップ装置としては、例えば特許文献１〜５に記載されたものが知られている。
【特許文献１】特開２００４−３９１６３号公報
【特許文献２】特開平８−３１５４００号公報
【特許文献３】特開２００１−２３２１８号公報
【特許文献４】特開２００４−１１０９０９号公報
【特許文献５】特開２００４−１６４６８１号公報
【０００３】
図１０および１１は、ＤＶＤ再生とＣＤ記録に対応した従来の光ピックアップ装置の構成図である。
【０００４】
１および２は半導体レーザ素子と光検出器を備えた第１受発光ユニット（レーザ光源および受光素子）および第２受発光ユニット（同前）、３はビームスプリッタ、４はコリメートレンズ、５は立上ミラー、６は対物レンズ、７は光ディスク、８はフロントモニタ素子、９は開口制限、１０は１／２波長板をそれぞれ示している。
【０００５】
光ディスク７は基板厚の異なるＤＶＤとＣＤに対応し、第１受発光ユニット１はＤＶＤの再生用のもの、第２受発光ユニット２はＣＤの記録、再生、消去用のものである。
【０００６】
ビームスプリッタ３は、２枚のプリズムを貼り合せ、貼り合せ面に波長選択膜３ａを備える。波長選択膜３ａは、ＤＶＤ用およびＣＤ用の２つの光ビームの波長で透過率／反射率が異なり、それぞれの光ビームを選択的に透過または反射させる。例えば、ＤＶＤ用の光ビームはそのほとんどを透過させる一方、ＣＤ用の光ビームはそのほとんどを反射をさせるといった具合である。
【０００７】
第１受発光ユニット１から出射される光ビーム１１は、１／２波長板１０により偏光面が９０°回転し、ビームスプリッタ３にＳ偏光で入射し、波長選択膜３ａで反射され、コリメートレンズ４によって略平行になる。この略平行になった光ビーム１１は対物レンズ５によって光ディスク７（この場合、ＤＶＤ）に集光される。そして、光ディスク７によって反射され、対物レンズ５、コリメートレンズ４を経てビームスプリッタ３で反射され、第１受発光ユニット１に戻る。戻ってきた光ビーム１１は第１受発光ユニット１内で受光素子に導かれる。
【０００８】
第２受発光ユニット２から出射される光ビーム１２は、ビームスプリッタ３にＰ偏光で入射し、ビームスプリッタ３の波長選択膜３ａを透過し、コリメートレンズ４によって略平行になる。この略平行になった光ビーム１２は対物レンズ５によって光ディスク７（この場合、ＣＤ）に集光される。そして、光ディスク７によって反射され、対物レンズ５、コリメートレンズ４を経てビームスプリッタ３を透過し、第２受発光ユニット２に戻り、第２受発光ユニット２内で受光素子に導かれる。
【０００９】
ビームスプリッタ３の波長選択膜３ａは、第２受発光ユニット２からの光ビーム１２のほとんどを透過させるが、その一方で一部（〜１０％程度）を反射させる。反射光１３は、開口制限９により光束を絞られ、フロントモニタ素子８へ入射する。
【００１０】
フロントモニタ素子８は、入射した光ビーム１３の光量に応じた電気信号を出力する。フロントモニタ素子８からの電気信号出力と光ディスク７上に集光された光ビームの光量が略比例関係となることから、電気信号出力を参照して、光ディスク７上に集光された光ビームが適当な強度となるように、第２受発光ユニット２内の半導体レーザ素子の駆動電流が制御される。
【発明の開示】
【発明が解決しようとする課題】
【００１１】
波長選択膜３ａとしては、ＤＶＤ用およびＣＤ用の２つの光ビームの波長の近傍で反射／透過効率が略一定である光学薄膜が使用される。しかし、略一定とはいえ、反射／透過効率は（光源の波長変動範囲内で）波長に対して依然として数パーセント程度変化してしまう。このため、温度上昇等により第２受発光ユニット２中の半導体レーザ素子から出射される光ビームの波長が変動すると、出射光の光量は一定であっても、波長選択膜３ａを反射／透過した光ビームの光量は変動し、フロントモニタ素子８への入射光の光量が変動してしまう。この変動による光量の変化量自体は小さいが、フロントモニタ素子８への入射光の光量変化率としては大きく、その結果、半導体レーザ素子の出力調整に大きく影響する。例えば、半導体レーザ素子の波長変動により波長選択膜３ａの透過効率が９７％から９６％に変化し、反射効率が２.５％から３.５％に変化すると、光ディスク７への光量は僅かに（約１％）減少するが、フロントモニタ素子８への入射光の光量は逆に４０％増加するので、第２受発光ユニット２内の半導体レーザ素子の出力は大きく減少されることになる。
【００１２】
このように、温度上昇等により光源からの出射光の波長が変動することによって、光源の実際の光量は変化していないにもかかわらず、光源からの光の一部をモニタ素子に導く光学要素（例えば、ミラーやビームスプリッタ）の特性（例えば、透過効率や反射効率）に依存して、モニタ素子に導かれる光の光量が変動し、この変動が大きいと、必要のない光源出力の調整が行なわれることによって正確な記録・再生ができなくなるという問題点があった。
【課題を解決するための手段】
【００１３】
上記問題点を解決するために、本発明によれば、光ディスクに照射するための光を出射するレーザ光源と、光ディスク上で反射した光を受光する受光素子と、光源が出射する光の光量をモニタするためのモニタ素子と、光源から光ディスクへの光路中に存在して光源からの光の一部をモニタ素子に導き残りを光ディスクに導く第１光学要素と、第１光学要素からモニタ素子への光路中に存在する第２光学要素とを備え、第１光学要素によってモニタ素子に導かれる光量が光源の波長変動により変化するとき、第２光学要素がその光量変化を補正する光ピックアップ装置が提供される。
【００１４】
「光量変化を補正する」とは、モニタ素子へ導かれる光量の光源の波長変動による変化率を小さくする（補償する）ことをいう。光量の変化率は、式（（光源の波長変動範囲内での最大光量）−（光源の波長変動範囲内での最小光量））／（光源の波長変動範囲内での最小光量）で表される。好ましくは、光量変化率は、第２光学要素の設置により、第１光学要素のみ設置時の８０％以下、より好ましくは７０％以下、さらに好ましくは６０％以下、よりさらに好ましくは５０％以下にされる。
【００１５】
第１光学要素によってモニタ素子に導かれる光の光量が、光源の波長変動範囲内において、長波長側に比べて短波長側で大きくなるとき、第２光学要素は、長波長側に比べて短波長側で小さい伝達効率を有する光学素子で構成される。逆に、第１光学要素によってモニタ素子に導かれる光の光量が、光源の波長変動範囲内において、長波長側に比べて短波長側で小さくなるとき、第２光学要素は、長波長側に比べて短波長側で大きい伝達効率を有する光学素子で構成される。ここで、伝達効率とは、入射光の光量に対する出射光（反射光、透過光、回折光などモニタ素子への入射光として使用される光）の割合をいう。
【００１６】
第２光学要素は、好ましくは光学薄膜で構成される。
【００１７】
第２光学要素に使用される光学薄膜は、２種類以上の誘電体膜を交互に積層した多層膜で構成される。光学薄膜に使用可能な誘電体は当該分野において公知であり、例としては、ＴｉＯ2、ＳｉＯ2、ＭｇＦ2、ＺｎＳが挙げられる。多層膜の各層の厚みと層数は、所望の光学特性が得られるように選択される。例えば、層の表面と裏面で反射した光の位相が波長／２ずれるような厚さにすれば反射光同士が打ち消し合って当該層でのその波長光の反射は抑制され、逆に層の表面と裏面で反射した光の位相が重なるような厚さにすれば当該層でのその波長光の反射効率は上昇することになる。誘電体の積層には当該分野において公知の方法、例えば蒸着法やスパッタリング法が使用できる。誘電体の多層膜は、各誘電体層で発生する引張応力または圧縮応力が全体として打ち消されるように作成される。
【００１８】
第２光学要素が光学薄膜である場合、好ましくは第１光学要素もまた光学薄膜（例えば、ミラー膜、ビームスプリッタ中の波長選択膜）であり、ミラー（例えば、立上ミラー）として構成されていてもよいし、往路復路を分離するため、または、２以上の光ビームの光路の分離・合成するためのビームスプリッタとして構成されていてもよい。
【００１９】
本発明の装置の１つの実施形態は、第１光学要素が、光の一部をモニタ素子に反射させ、残りを光ディスクに透過させる第１光学薄膜であって、第２光学要素が、第１光学要素からの光をモニタ素子へ透過させる第２光学薄膜である光ピックアップ装置である。本実施形態では、第１光学薄膜の反射効率が光源の波長変動範囲内において短波長側に比べて長波長側で小さいことにより、第１光学要素によってモニタ素子に導かれる光量が変化するときは、第２光学薄膜の透過効率が短波長側に比べて長波長側で大きいことでその光量変化が補正される。逆に、第１光学薄膜の反射効率が短波長側に比べて長波長側で大きいときは、第２光学薄膜の透過効率が短波長側に比べて長波長側で小さいことで光量変化が補正される。
【００２０】
本発明の装置の別の実施形態は、第１光学要素が、光の一部をモニタ素子に透過させ、残りを光ディスクに反射させる第１光学薄膜であって、第２光学要素が、第１光学要素からの光をモニタ素子へ透過させる第２光学薄膜である光ピックアップ装置である。本実施形態では、第１光学薄膜の透過効率が光源の波長変動範囲内において短波長側に比べて長波長側で小さいことにより、第１光学要素によってモニタ素子に導かれる光量が変化するときは、第２光学薄膜の透過効率が短波長側に比べて長波長側で大きいことでその光量変化が補正される。逆に、第１光学薄膜の透過効率が短波長側に比べて長波長側で大きいときは、第２光学薄膜の透過効率が短波長側に比べて長波長側で小さいことで光量変化が補正される。
【００２１】
本発明の装置のさらに別の実施形態は、第１光学要素が、光の一部をモニタ素子に反射させ、残りを光ディスクに透過させる第１光学薄膜であって、第２光学要素が、第１光学要素からの光をモニタ素子へ反射させる第２光学薄膜である光ピックアップ装置である。本実施形態では、第１光学薄膜の反射効率が光源の波長変動範囲内において短波長側に比べて長波長側で小さいことにより、第１光学要素によってモニタ素子に導かれる光量が変化するときは、第２光学薄膜の反射効率が短波長側に比べて長波長側で大きいことでその光量変化が補正される。逆に、第１光学薄膜の反射効率が短波長側に比べて長波長側で大きいときは、第２光学薄膜の反射効率が短波長側に比べて長波長側で小さいことで光量変化が補正される。
【００２２】
本発明の装置のなお別の実施形態は、第１光学要素が、光の一部をモニタ素子に透過させ、残りを光ディスクに反射させる第１光学薄膜であって、第２光学要素は、第１光学要素からの光をモニタ素子へ反射させる第２光学薄膜である光ピックアップ装置である。本実施形態では、第１光学薄膜の透過効率が光源の波長変動範囲内において短波長側に比べて長波長側で小さいことにより、第１光学要素によってモニタ素子に導かれる光量が変化するときは、第２光学薄膜の反射効率が短波長側に比べて長波長側で大きいことでその光量変化が補正される。逆に、第１光学薄膜の透過効率が短波長側に比べて長波長側で大きいときは、第２光学薄膜の反射効率が短波長側に比べて長波長側で小さいことで光量変化が補正される。
【００２３】
第１光学要素および第２光学要素は同一組成の光学薄膜であってもよい。第１光学要素および第２光学要素として使用し得る光学薄膜は、第２光学要素に使用される光学薄膜と同様に２種類以上の誘電体多層膜で構成されるが、ＴｉＯ2とＳｉＯ2との組合せでの構成が可能である。所望の光学特性が得られるように各層の厚みと層数が選択され得る。
【００２４】
同一組成の光学薄膜は、１つの実施形態として、光学薄膜は、光源として使用されるレーザ光の波長において、入射角θ1（例えば、４５°）で入射した光のほとんどを透過させ、残りを反射させ、入射光の波長変動により反射光の光量が変化する光学薄膜であって、反射光をさらに入射角θ2（例えば、０°）で透過させることにより光量変化が補正される光学薄膜である。ここで、「ほとんど」とは、８０％以上、好ましくは８５％以上、より好ましくは９０％以上、さらに好ましくは９５％以上をいう。レーザ光の波長は、使用する場面により異なる。光ピックアップ装置の光源として使用されるレーザ光の波長は当該分野において公知であり、例えば、現在の市販品の規格では、ＣＤのためには７７０〜８３０ｎｍであり、ＤＶＤのためには６３０〜６９０ｎｍである。以下の実施例では、ＣＤ用に７７０〜８００ｎｍ、ＤＶＤ用に６５０〜６７０ｎｍの波長を選択して、本発明の光ピックアップ装置を設計したが、これらに限定する意図はない。本実施形態の光学薄膜は、入射角θ1の反射効率が短波長側に比べて長波長側で小さく、かつ入射角θ2の透過効率が短波長側に比べて長波長側で大きいか、逆に、入射角θ1の反射効率が短波長側に比べて長波長側で大きく、かつ入射角θ2の透過効率が短波長側に比べて長波長側で小さいことで光量変化を補正する。
【００２５】
同一組成の光学薄膜の別の実施形態は、光源として使用されるレーザ光の波長において、入射角θ1（例えば、４５°）で入射した光のほとんどを反射させ、残りを透過させ、入射光の波長変動により透過光の光量が変化する光学薄膜であって、透過光をさらに入射角θ2（例えば、４５°）で反射させることにより光量変化が補正される光学薄膜である。本実施形態の光学薄膜は、入射角θ1の透過効率が短波長側に比べて長波長側で小さく、かつ入射角θ2の反射効率が短波長側に比べて長波長側で大きいか、逆に、入射角θ1の透過効率が短波長側に比べて長波長側で大きく、かつ入射角θ2の反射効率が短波長側に比べて長波長側で小さいことで光量変化を補正する。
【００２６】
同一組成の光学薄膜のさらに別の実施形態は、光源として使用されるレーザ光の波長において、入射角θ1（例えば、４５°）で入射した光のほとんどを反射させ、残りを透過させ、入射光の波長変動により透過光の光量が変化する光学薄膜であって、透過光をさらに入射角θ2（例えば、０°）で透過させることにより光量変化が補正される光学薄膜である。本実施形態の光学薄膜は、入射角θ1の透過効率が短波長側に比べて長波長側で小さく、かつ入射角θ2の透過効率が短波長側に比べて長波長側で大きいか、逆に、入射角θ1の透過効率が短波長側に比べて長波長側で大きく、かつ入射角θ2の透過効率が短波長側に比べて長波長側で小さいことで光量変化を補正する。
【００２７】
第１光学要素および第２光学要素は一部材に集約されてもよい。例えば、第１光学要素がビームスプリッタの波長選択膜である場合、第２光学要素は、波長選択膜を反射または透過してモニタ素子へ導かれる光がプリズムから出射するその面に設けられてもよい。あるいは、第１光学要素が立上ミラーのミラー膜である場合、第２光学要素は、立上ミラー上で、ミラー膜を透過してモニタ素子へ導かれる光が経由する面に設けられてもよい。
【００２８】
第２光学要素は回折素子であってもよい。この場合、波長による回折角度変化や回折効率変化を利用し、第１光学要素によってモニタ素子に導かれる光量の光源の波長変動による変化を補正し得るように、格子ピッチと溝深さを適切に設計する。
【発明の効果】
【００２９】
本発明によれば、周囲環境の温度変化等により半導体レーザ素子から出射される光ビームの波長変動があっても、光ディスク上に集光される光ビームを安定的に制御できる光ピックアップ装置を提供することが可能となる。また、本発明の光ピックアップ装置は、光量補正用要素（第２光学要素）として光学薄膜を用いるとき、この素子ために大きなスペースを装置内に確保する必要がなく、特に、第２光学要素を従来の光ピックアップ装置で既に使用されている光学要素（第１光学要素；例えば、立上ミラーやビームスプリッタ）と一部材に集約させる場合には、装置の大きさおよび／または部品レイアウトを従来ものからほとんど変更する必要がないので、設計に大きな変更を要せず、低コストで、コンパクトに製造できる。
【発明を実施するための最良の形態】
【００３０】
以下、図を用いて本発明の光ピックアップ装置を説明する。
【００３１】
図１、２は、本発明の光ピックアップ装置の１つの実施形態の構成図である。
【００３２】
１および２は半導体レーザ素子と光検出器を備えた第１および第２受発光ユニット（レーザ光源および受光素子）、３はビームスプリッタ、４はコリメートレンズ、５は立上ミラー、６は対物レンズ、７は光ディスク、８はフロントモニタ素子、９は開口制限、１０は１／２波長板をそれぞれ示している。
【００３３】
光ディスク７は基板厚の異なるＤＶＤとＣＤに対応し、第１受発光ユニット１はＤＶＤの再生用のものであり、第２受発光ユニット２は、ＣＤの記録、再生、消去用のものである。
【００３４】
ビームスプリッタ３は、第１光学要素としての波長選択膜３ａおよび第２光学要素としての補正膜（補償膜）３ｂを備える。補正膜３ｂは、波長選択膜からフロントモニタ素子への光路上に設けられる。補正膜３ｂは、波長選択膜３ａの波長による反射率変動と逆傾向の透過特性を有する。すなわち、波長選択膜３ａの反射率が、短波長側に比べて長波長側で大きいとき、補正膜３ｂの透過率は短波長側に比べて長波長側で小さい（もちろん、波長選択膜３ａの反射率および補正膜３ｂの透過率の大小関係が短波長側と長波長側で逆であってもよい）。
【００３５】
第１受発光ユニット１から出射される光ビーム１１は、１／２波長板１０により偏光面が９０°回転し、ビームスプリッタ３にＳ偏光で入射し、波長選択膜３ａで反射され、コリメートレンズ４によって略平行になる。この略平行になった光ビーム１１は対物レンズ５によって光ディスク７（この場合、ＤＶＤ）に集光される。そして、光ディスク７によって反射され、対物レンズ５、コリメートレンズ４を経てビームスプリッタ３で反射され、第１受発光ユニット１に戻る。戻ってきた光ビーム１１は第１受発光ユニット１内で受光素子に導かれる。
【００３６】
第２受発光ユニット２から出射される光ビーム１２は、ビームスプリッタ３にＰ偏光で入射し、ビームスプリッタ３の波長選択膜３ａに４５°で入射し、該膜を透過し、コリメートレンズ４によって略平行になる。この略平行になったに光ビーム９は対物レンズ５によって光ディスク７（この場合、ＣＤ）に集光される。そして、光ディスク７によって反射され、対物レンズ５、コリメートレンズ４を経てビームスプリッタ３を透過し、第２受発光ユニット２に戻り、第２受発光ユニット２内で受光素子に導かれる。
【００３７】
ビームスプリッタ３の波長選択膜３ａは、上述の光ビームの波長に応じて選択的に透過、反射をさせる機能と同時に、第２受発光ユニット２からの光ビーム１２の一部の光ビーム１３を反射させる。反射光１３は補正膜３ｂに０°で入射し、該膜を透過後に、開口制限９により光束を絞られ、フロントモニタ素子８へ入射する。
【００３８】
フロントモニタ素子８は、入射した光ビーム１３の光量に応じた電気信号を出力する。フロントモニタ素子８からの電気信号出力と光ディスク７上に集光された光ビームが略比例関係にあることから、電気信号出力を参照して光ディスク７上に集光された光ビームを適当な強度となるように第２受発光ユニット２内の半導体レーザ素子の駆動電流が制御される。
【００３９】
波長選択膜３ａは、半導体レーザ素子から出射されるレーザ光の波長変動範囲内で、波長により反射率が（わずか数パーセントであるが）変化するので、半導体レーザ素子の波長が温度変化等により変動すると、波長選択膜３ａによりフロントモニタ素子８へ導かれる光量が変化する。しかし、その光路上に設けられた補正膜３ｂが上記のように波長選択膜３ａの波長による反射率変動と逆傾向の特性を有するので、半導体レーザ素子から出射された光が波長選択膜３ａおよび補正膜３ｂを経てフロントモニタ素子へ入射するまでの伝達効率は補正膜３ｂ挿入前に比べて波長変動に対する変化が小さくなり、半導体レーザ素子の波長が変動しても、フロントモニタ素子８に入射する光量は安定する。すなわち、補正膜３ｂは、波長選択膜３ａによってモニタ素子に導かれる光量の光源の波長変動による変化を補正する。
【００４０】
本発明の光ピックアップ装置の別の実施形態では、立上ミラー５の第１光学要素としてのミラー膜５ａの透過光を第２光学要素としての補正膜（補償膜）５ｂで反射させてフロントモニタ素子に入射させる（図１０）か、補正膜５ｂを透過させてフロントモニタ素子に入射させる（図１１）。この場合、補正膜５ｂはミラー膜５aと対向して設けられる。補正膜５ｂは、立上ミラー５のミラー膜５aと対向する面に設けられて一部材とされてもよい。
【００４１】
ミラー膜５aと補正膜５ｂとして同一構成の光学薄膜を使用する場合、ミラー膜への入射角と補正膜への入射角を変えればよい。
【００４２】
第２光学要素を光学薄膜とせずに回折格子の波長依存性を使う場合も考えられる。この場合は、格子ピッチと溝深さを適切に設計し、波長による回折角度変化や回折効率変化を利用することとなる。
【００４３】
なお、上記実施形態ではＤＶＤ再生およびＣＤ記録を例として説明したが、ＤＶＤ記録や次世代光ディスクのＢＤ、ＨＤ−ＤＶＤなどについても同様に適用できる。
【実施例】
【００４４】
図１および２に構成を示した本発明のピックアップ装置において、補正膜３ｂとして波長選択膜３ａと同じ構成の光学薄膜を用いた。その膜構成を図３に示す。
【００４５】
この光学薄膜は、この膜を波長選択膜として入射角４５°で入射して反射した光に対して、この反射光を入射角０°で透過させると補正膜として働く光学特性を有する。この光学薄膜の４５°入射光の反射率および透過率を図４に示す。フロントモニタ素子へはこの膜に４５°で入射して反射された光が導かれるので、反射効率を、第２受発光ユニット２の光ビームの波長変動範囲について拡大して図５に示す。
【００４６】
図５に示されるように、波長選択膜３ａは波長により反射率が変化し、半導体レーザ素子の波長が温度等により変動するとフロントモニタ素子８へ導かれる光量が変化することとなる。
【００４７】
同じ光学薄膜の０°入射の透過効率を図６に示す。この透過特性を補正膜３ｂとして利用する。
【００４８】
図７は、本光学薄膜を波長選択膜３ａとしてのみ使用し補正膜を設けないとき、ならびに、本光学薄膜を波長選択膜３ａおよび補正膜３ｂとして使用したときの、フロントモニタ素子への入射光の光量を示す。このとき、第２受発光ユニット２からの光ビーム１２は、波長選択膜３ａとしての本光学薄膜に４５°入射して反射してフロントモニタ素子に入射するか、波長選択膜３ａを反射した光が補正膜３ｂとしての本光学薄膜に０°入射してこれを透過してフロントモニタ素子に入射する。
【００４９】
図７に示す通り、半導体レーザ素子２から出射される光ビームが７７５ｎｍから８００ｎｍの間で変動すると、波長選択膜３ａを反射してフロントモニタ素子１０へ入射する光量は２.５から３.５へ変化する（波長変動による光量変化率４０％）が、波長選択膜３ａで反射後、補正膜３ｂを透過してフロントモニタ素子８へ入射する光量は、２.１から２.４にしか変化せず（同１４％）、光量変化が補正されている（光量変化率は補正前の４０％以下に減少した）。
【００５０】
このように、本発明の光ピックアップ装置は、半導体レーザ素子の波長変動に対して、フロントモニタ素子８に入射する光量が安定化されている。
【００５１】
上記の実施例では、波長選択膜３ａおよび補正膜３ｂを同一組成の光学薄膜で構成したが、補正膜３ｂは、波長選択膜３ａの波長による反射率変動と逆傾向の特性を備えることにより、波長選択膜３ａによってフロントモニタ素子に導かれる光量の光源の波長変動による変化を補正することが可能であれば、波長選択膜３ａと同一組成である必要はない。
【００５２】
上記の実施形態および実施例は、本発明の理解を容易にするために例示として記載されたものであって、本発明は本明細書または添付図面に記載された具体的な構成および配置のみに限定されるものではないことに留意すべきである。本明細書に記載した具体的構成、手段、方法、および装置は、本発明の精神および範囲を逸脱することなく、当該分野において公知の他の多くのものと置換可能であることを、当業者は理解すべきであり、そして容易に認識する。
【００５３】
例えば、本発明は、レーザ光を使用する測定系において、正確な測定を達成するために光源から出射されるレーザ光の光量をモニタする必要があるとき一般に応用し得、特に、使用環境上、装置の大きさが制限される場合や低コストでの製造が求められる場合に応用が期待される。
【００５４】
この場合、測定装置を、測定対象物に照射するための光を出射するレーザ光源と、測定対象物で反射した光を受光する受光素子と、光源が出射する光の光量をモニタするためのモニタ素子と、光源から測定対象物への光路中に存在して光源からの光の一部をモニタ素子に導き残りを測定対象物に導く第１光学要素と、第１光学要素からモニタ素子への光路中に存在する第２光学要素とを備え、第１光学要素によってモニタ素子に導かれる光量が光源の波長変動により変化するとき、第２光学要素がその光量変化を補正する構成とすればよい。
【図面の簡単な説明】
【００５５】
【図１】本発明の光ピックアップ装置の１つの実施形態の構造図（上面図）である。
【図２】図１に示した光ピックアップ装置の側面図である。
【図３】本発明の光ピックアップ装置において、波長選択膜（第１光学要素）および補正膜（第２光学要素）として使用可能な光学薄膜の膜構成の１つの例を示す表である。
【図４】図３に膜構成を示した光学薄膜の４５°入射時の反射効率および透過効率を示すグラフである。本発明の光ピックアップ装置では、この波長特性を波長選択膜（第１光学要素）として利用する。
【図５】図４に示した反射効率をレーザ光波長の変動範囲において拡大した図である。
【図６】図３に膜構成を示した光学薄膜の０°入射時の透過効率を示すグラフである。本発明のピックアップ装置では、この透過特性を補正膜（第２光学要素）として利用する。
【図７】光ピックアップ装置において、図３に膜構成を示した光学薄膜を、波長選択膜としてのみ用いて補正膜を設けないとき（従来装置）と波長選択膜および補正膜として用いるとき（本発明の装置）とで、フロントモニタ素子への入射光の光量をレーザ光波長の変動範囲内で比較したグラフである。
【図８】本発明の光ピックアップ装置の別の実施形態の構成図である。立上ミラーのミラー膜を透過した光が、補正膜を反射してフロントモニタ素子に入射する構成である。
【図９】本発明の光ピックアップのさらに別の実施形態の構成図である。立上ミラーのミラー膜を透過した光が、補正膜を透過してフロントモニタ素子に入射する構成である。
【図１０】従来の光ピックアップ装置の構造図（上面図）である。
【図１１】図１０に示した光ピックアップ装置の側面図である。
【符号の説明】
【００５６】
１      第１受発光ユニット（レーザ光源および受光素子）
２      第２受発光ユニット（レーザ光源および受光素子）
３      ビームスプリッタ
３ａ  ビームスプリッタに形成された波長選択膜
３ｂ  ビームスプリッタに形成された補正膜（補償膜）
４      コリメートレンズ
５      立上ミラー
５ａ  立上ミラーに形成されたミラー膜
５ｂ  立上ミラーに形成された補正膜（補償膜）
６      対物レンズ
７      光ディスク
８      フロントモニタ素子
９      開口制限
１０    １／２波長板
【図１】
2006139844.tif 000003
【図２】
2006139844.tif 000004
【図３】
2006139844.tif 000005
【図４】
2006139844.tif 000006
【図５】
2006139844.tif 000007
【図６】
2006139844.tif 000008
【図７】
2006139844.tif 000009
【図８】
2006139844.tif 000010
【図９】
2006139844.tif 000011
【図１０】
2006139844.tif 000012
【図１１】
2006139844.tif 000013